(57)【特許請求の範囲】
【請求項１】
撮像手段と、
表示手段と、
前記表示手段への情報表示を伴う処理が実行中か否かを検出する検出手段と、
前記検出手段で前記表示手段への情報表示を伴う処理が実行中であると検出された場合に、自機が移動状態にあるか否かを検知する検知手段と、
前記検知手段で自機が移動状態にあると検知された場合に、前記撮像手段が撮像している映像を前記表示手段に表示させるようにする制限実施手段と、
前記制限実施手段により、前記情報表示から前記撮像手段を通じて撮像している映像に切り替えて前記表示手段に表示させるようにした後に、自機が停止したことが検知された場合に、前記撮像手段を通じて撮像している映像表示に切り替える直前まで行っていた前記情報表示を再開する制限解除手段と
を備えることを特徴とする携帯端末装置。
【請求項２】
請求項１に記載の携帯端末装置であって、
振動検出手段と現在位置測位手段との一方または両方を備え、
前記検知手段は、前記振動検出手段と前記現在位置測位手段との一方または両方からの出力情報に基づいて、自機が移動状態にあるか否かを検知することを特徴とする携帯端末装置。
【請求項３】
請求項２に記載の携帯端末装置であって、
前記振動検出手段と前記現在位置測位手段との一方または両方からの出力情報に基づいて自機が移動状態にあると検知された場合に、前記撮像手段を動作させる撮像制御手段と、
前記撮像手段により撮像される映像を解析することにより、自機の移動速度を検出する速度検出手段と、
自機の移動速度を考慮して、自機のユーザーが自転車やバイクの運転中か否かを検出する運転検出手段と
を備え、
前記制限制御手段は、自機が移動状態にあり、かつ、自機のユーザーが自転車やバイクの運転中であることが検出された場合に、前記撮像手段が撮像している映像を前記表示手段に表示させるようにすることを特徴とする携帯端末装置。
【請求項４】
撮像手段と、
表示手段と、
前記表示手段への情報表示を伴う処理が実行中か否かを検出する検出手段と、
前記検出手段により前記表示手段への情報表示を伴う処理が実行中であると検出された場合に、振動検出手段と現在位置測位手段との一方または両方からの出力情報に基づいて、自機が移動状態にあるか否かを検知する検知手段と、
前記検知手段で自機が移動状態にあると検知された場合に、前記撮像手段を動作させる撮像制御手段と、
前記撮像手段により撮像される映像を解析することにより、自機の移動速度を検出する速度検出手段と、
前記速度検出手段で検出された自機の移動速度を考慮して、自機のユーザーが自転車やバイクの運転中か否かを検出する運転検出手段と
前記検知手段により自機が移動状態にあると検知され、かつ、前記運転検出手段により自機のユーザーが自転車やバイクの運転中であることが検出された場合に、前記撮像手段が撮像している映像を前記表示手段に表示させるようにする制限実施手段と
を備えることを特徴とする携帯端末装置。
【請求項５】
撮像手段と、表示手段とを備えた携帯端末装置で行われる動作制御方法であって、
検出手段を通じて、前記表示手段への情報表示を伴う処理が実行中か否かを検出する検出工程と、
前記検出工程において、前記表示手段への情報表示を伴う処理が実行中であると検出した場合に、検知手段を通じて、自機が移動状態にあるか否かを検知する検知工程と、
前記検知工程において、自機が移動状態にあると検知された場合に、制限実施手段を通じて、前記撮像手段が撮像している映像を前記表示手段に表示させるようにする制限実施工程と、
前記制限実施工程において、前記情報表示から前記撮像手段を通じて撮像している映像に切り替えて前記表示手段に表示させるようにした後に、自機が停止したことを検知した場合に、前記撮像手段を通じて撮像している映像表示に切り替える直前まで行っていた前記情報表示を再開する制限解除工程と
を有することを特徴とする携帯端末装置の動作制御方法。
【請求項６】
撮像手段と、表示手段とを備えた携帯端末装置に搭載されたコンピュータが実行するプログラムであって、
検出手段を通じて、前記表示手段への情報表示を伴う処理が実行中か否かを検出する検出ステップと、
前記検出ステップにおいて、前記表示手段への情報表示を伴う処理が実行中であると検出した場合に、検知手段を通じて、自機が移動状態にあるか否かを検知する検知ステップと、
前記検知ステップにおいて、自機が移動状態にあると検知された場合に、制限実施手段を通じて、前記撮像手段が撮像している映像を前記表示手段に表示させるようにする制限実施ステップと、
前記制限実施ステップにおいて、前記情報表示から前記撮像手段を通じて撮像している映像に切り替えて前記表示手段に表示させるようにした後に、自機が停止したことを検知した場合に、前記撮像手段を通じて撮像している映像表示に切り替える直前まで行っていた前記情報表示を再開する制限解除ステップと
を実行することを特徴とする携帯端末装置の動作制御プログラム。
【発明の詳細な説明】
【技術分野】
【０００１】
この発明は、例えば、歩行中や、自転車やバイクの運転中において、携帯電話端末等の携帯端末装置の使用を抑制できるようにする装置、方法、プログラムに関する。
【背景技術】
【０００２】
携帯電話端末を操作しながら歩いたり自転車に乗ったりしている人達が多くなってきている。車両の運転中に携帯電話端末を使用することは違法行為になるが、歩行中の携帯電話端末の使用はマナーの範疇になっている。また、自転車に乗りながらの携帯電話端末の使用も条例等で禁止されている自治体はあるものの、十分な対応が取られていないのが実状である。人間の五感から受け取る情報のうち、目からのものが全体の８０％を占め、前を見て移動しなければ危険なことはいうまでもない。
【０００３】
このような背景から、後に記す特許文献１には、ユーザーが歩行中や運転中は操作をできないようにする携帯電話端末装置に関する発明が開示されている。当該特許文献１に記載の発明の携帯電話端末装置は、ユーザーの歩行振動を検出しているときに、操作がなされると、操作のロックを行って操作不能にすると共に、歩行中であり危険であるため操作できないことを通知するメッセージを出力するものである。この発明は、歩行中の携帯電話端末装置の使用を効果的に防止する１つの手段を提供している。
【先行技術文献】
【特許文献】
【０００４】
【特許文献１】特開２００８−５３９８８号公報
【発明の概要】
【発明が解決しようとする課題】
【０００５】
ところで、上述した特許文献１に記載の発明の携帯電話端末装置は、ユーザーが移動している状態にあるときに操作されたことを検知して操作を不能にしている。したがって、ユーザーが停止している状態で携帯電話端末装置に対して操作がなされ、当該携帯電話端末装置において何らかの処理が実行された場合、その後にユーザーが移動しても何らかの操作が行われない限り実行された処理が停止されることはない。例えば、近年、急速に普及してきているスマートフォンなどでは、映像音声コンテンツの再生なども可能であるが、コンテンツの再生中においては操作が行われることも少ないので、危険を伴う歩行中の使用を十分に抑制できない場合がある。また、移動中の携帯電話端末装置の使用を抑制するだけではなく、移動中に携帯電話端末装置を使用した場合に、ユーザーや周囲の人の安全をできるだけ確保できることが望ましい。
【０００６】
以上のことに鑑み、この発明は、歩行中や、自転車やバイクの運転中における、携帯電話端末装置等の携帯端末装置の使用を効果的に抑制し、かつ、ユーザー及びその周囲の人の安全を確保できるようにすることを目的とする。
【課題を解決するための手段】
【０００７】
上記課題を解決するため、請求項１に記載の発明の携帯端末装置は、
撮像手段と、
表示手段と、
前記表示手段への情報表示を伴う処理が実行中か否かを検出する検出手段と、
前記検出手段で前記表示手段への情報表示を伴う処理が実行中であると検出された場合に、自機が移動状態にあるか否かを検知する検知手段と、
前記検知手段で自機が移動状態にあると検知された場合に、前記撮像手段が撮像している映像を前記表示手段に表示させるようにする制限実施手段と、
前記制限実施手段により、前記情報表示から前記撮像手段を通じて撮像している映像に切り替えて前記表示手段に表示させるようにした後に、自機が停止したことが検知された場合に、前記撮像手段を通じて撮像している映像表示に切り替える直前まで行っていた前記情報表示を再開する制限解除手段と
を備えることを特徴とする。
【０００８】
この請求項１に記載の発明の携帯端末装置によれば、表示手段への情報表示を伴う処理が実行中であると検出手段によって検出され、かつ、自機が移動状態にあることを検知手段によって検知されたとする。この場合、制限実施手段が機能し、撮像手段を通じて撮像している映像を表示手段に表示させる。
【０００９】
これにより、歩行中や、自転車やバイクの運転中における、携帯端末装置の使用を効果的に抑制できる。また、ユーザーは、自分の進行方向（前方）の映像を、表示手段を通じて視認でき、ユーザーの前方への視線の回復を促して、ユーザー及びその周囲の人の安全を確保できる。
【発明の効果】
【００１０】
この発明によれば、歩行中や、自転車やバイクの運転中における、携帯電話端末装置等の携帯端末装置の使用を効果的に抑制することができる。そして、携帯端末装置のユーザー及びその周囲の人の安全が確保できる。
【図面の簡単な説明】
【００１１】
【図１】第１の実施の形態の携帯電話端末１の構成例を説明するためのブロック図である。
【図２】歩行中の携帯電話端末１の使用を抑制する処理について説明するためのフローチャートである。
【図３】携帯電話端末１の表示部１２３に表示される表示映像（表示画像）の例を説明するための図である。
【図４】第２の実施の形態の携帯電話端末１Ａの構成例を説明するためのブロック図である。
【図５】自転車やバイクの運転中の携帯電話端末１Ａの使用を抑制する処理について説明するためのフローチャートである。
【図６】携帯電話端末１Ａの表示部１２３に表示される表示映像（表示画像）の例を説明するための図である。
【図７】第２の実施の形態の変形例における自転車やバイクの運転中の使用を抑制する処理について説明するためのフローチャートである。
【発明を実施するための形態】
【００１２】
以下、図を参照しながら、この発明の装置、方法、プログラムの一実施の形態について説明する。なお、この発明は、互いに反対側となる面にカメラ部と表示部の表示画面とを備えた種々の携帯端末装置、例えば、携帯電話端末、タブレット端末、携帯型ゲーム機、ＰＤＡ（Personal Digital Assistants）等に適用可能なものである。しかし、以下に説明する実施の形態においては、説明を簡単にするため、広く普及しているカメラ機能付き携帯電話端末にこの発明を適用した場合を例にして説明する。また、以下に説明する実施の形態においては、第１の実施の形態として、歩行中の使用を抑制する携帯電話端末について説明し、第２の実施の形態として、自転車やバイクの運転中における使用を抑制する携帯電話端末について説明する。
【００１３】
［第１の実施の形態：歩行中の使用を抑制する携帯電話端末］
［携帯電話端末１の構成例］
図１は、第１の実施の形態の携帯電話端末１の構成例を説明するためのブロック図である。まず、携帯電話端末１を構成する各部について説明する。
【００１４】
［携帯電話端末１の基本構成部分について］
制御部１００は、携帯電話端末１の各部を制御するものであり、ＣＰＵ（Central Processing Unit）１０１、ＲＯＭ（Read Only Memory）１０２、ＲＡＭ（Random Access Memory）１０３がＣＰＵバス１０４を通じて接続されたコンピュータ装置である。記憶装置１１０は、記録媒体として不揮発性メモリを備え、種々のアプリケーションプログラムや種々の処理により得られたデータ等の当該不揮発性メモリへの書込み／記録保持／読み出し／削除を行う。
【００１５】
送受信アンテナ１１１、無線通信部１１２は、携帯電話網やインターネットなどの広域ネットワークを通じて通信を行う機能を実現する。受話器（スピーカ）１１３および送話器（マイクロホン）１１４は、通話を行うためのものである。すなわち、無線通信部１１２は、携帯電話網を通じて相手先との間に通話回線を接続し、受話器（スピーカ）１１３および送話器（マイクロホン）１１４を通じての通話を可能にする。また、無線通信部１１２は、インターネットに接続し、インターネットを通じてのデータの送受信を可能にし、電子メールの送受信やインターネット上に開示されたＷｅｂページの閲覧等を可能にする。
【００１６】
キー操作部１２１は、携帯電話端末１に設けられたハードウェアキーからなり、ユーザーからの操作入力を受け付ける。表示処理部１２２と表示部１２３とは、種々の映像（画像）、表示メッセージなどの表示情報を表示するためのものである。タッチパネル１２４は、表示部１２３の表示画面に貼付され、ユーザーの指等の指示体による接触位置（接触座標）を検出し、これを制御部１００に通知する。したがって、タッチパネル１２４は、制御部１００によって表示位置が制御される表示部１２３の表示画面に表示される表示情報と共に入力インターフェースを構成する。音声出力部１２５とスピーカ１２６Ａおよび音声出力端子１２６Ｂとは、種々の音声情報を出力するためのものである。なお、音声出力端子１２６Ｂには、イヤホンやヘッドホンが接続されて利用される。
【００１７】
カメラ部１２７は、撮像レンズ、撮像素子、カメラ信号処理回路などを備え、被写体の映像を撮影し、これをデジタル信号の映像（画像）データとして取り込む機能を有する。なお、撮影時においては、カメラ部１２７を通じて取り込まれた映像データは、制御部１００を通じて表示処理部１２２に供給にされる。表示処理部１２２は、これに供給された映像データから表示部１２３に供給する映像信号を形成し、これを表示部１２３に供給する。これにより、カメラ部１２７が捉えている映像が表示部１２３に表示され、ユーザーは表示部１２３の表示画像を確認しながら撮影が行える。
【００１８】
マイクロホン１２８および音声入力部１２９は、例えば、カメラ部１２７を通じた映像の撮影時などにおいて、音声を収音し、これをデジタル信号として取り込む機能を有する。そして、キー操作部１２１やタッチパネル１２４を通じて、画像の記録指示（録画指示）が入力された場合には、カメラ部１２７を通じて取り込まれた映像データと、マイクロホン１２８および音声入力部１２９を通じて取り込まれた音声データとは、例えば、記憶装置１１０の不揮発性メモリに記録（録画、録音）できる。
【００１９】
バイブレータ１３１は、振動を発生させることにより、着信や警告等の発生をユーザーに通知する。リンガ１３２は、所定の呼び出し音や警告音を発生させることにより、着信や警告等の発生をユーザーに通知する。加速度センサ１４１は、例えば、表示部１２３の上下方向を決定するために携帯電話端末１の傾きを検出したり、携帯電話端末1が備える歩数計機能を実現するために振動を検出したりする。ＧＰＳ部１４２およびＧＰＳアンテナ１４３は、自機の現在位置を測位するためのものである。
【００２０】
これらの構成を有する携帯電話端末１は、電話を掛けたり、受けたりすることができる。また、電子メールの作成や参照を行ったり、インターネットにアクセスして電子メールの送受信を行ったり、Ｗｅｂページを閲覧したり、ＳＮＳ（Social Networking Service）を利用したりすることができる。また、例えば、記憶装置１１０に記憶保持されている映像音声コンテンツを、表示処理部１２２および表示部１２３、音声出力部１２５およびスピーカ１２６Ａを通じて再生して視聴したり、同様にして、ゲームを実行して楽しんだりすることができる。もちろん、記憶装置１１０に記憶保持されている音楽コンテンツを、音声出力部１２５および音声出力端子１２６Ｂを通じて再生して、イヤホン等を用いて聴取することもできる。
【００２１】
［歩行中の使用を抑制する機能を実現する部分について］
そして、この第１の実施の形態の携帯電話端末１は、ユーザーが歩行中である場合の使用を抑制する機能を実現する部分として、動作状態検出部１５１、移動検知部１５２、警告制御部１５３、制限実施部１５４、制限解除部１５５を備える。
【００２２】
動作状態検出部１５１は、制御部１００による各部の制御状態に基づいて、通話処理や音楽コンテンツの再生処理以外の表示部１２３への表示情報の表示を伴う処理を実行中か否かを検出する。表示部１２３への表示情報の表示を伴う処理は、例えば、電子メールの作成や参照、Ｗｅｂページの閲覧、ＳＮＳの利用、映像音声コンテンツの再生、ゲームの実行、設定情報のメンテナンス処理、表示を伴う各種アプリケーションの実行処理等である。すなわち、表示部１２３への表示情報の表示を伴う処理は、ユーザーが必ず確認すべき表示情報の表示を伴う種々の処理である。
【００２３】
移動検知部１５２は、制御部１００の制御の下、動作状態検出部１５１が表示部１２３への表示情報の表示を伴う処理を実行中であると検出した場合に、自機を使用しているユーザーが歩行中か否かを検知する。当該検知処理は、加速度センサ１４１の検出出力やＧＰＳ部１４２によって測位される現在位置の変化に基づいて行われる。
【００２４】
警告制御部１５３は、移動検知部１５２によって自機を使用しているユーザーが歩行中であると検知した場合に、携帯電話端末１のユーザーに対して歩行中の使用であることを警告する処理を行う。警告制御部１５３は、制御部１００を通じてバイブレータ１３１を振動させたり、制御部１００を通じて表示処理部１２２に警告用表示メッセージデータを供給し、表示部１２３に警告用メッセージを表示させたりして、歩行中の使用を警告する。なお、警告メッセージの表示は、目立つように、例えば、吹き出しメッセージを表示させるなど、種々の表示態様とすることが可能である。この他にも、警告制御部１５３は、リンガ１３２から警告音を放音したり、制御部１００を通じて音声出力部１２５に警告用音声メッセージデータを供給し、スピーカ１２６Ａから音声による警告メッセージを出力したりして、歩行中の使用を警告することができる。
【００２５】
制限実施部１５４は、警告制御部１５３による警告処理の後、表示部１２３に表示させる映像（画像）をカメラ部１２７からの映像に切り替える処理を行う。この場合、制限実施部１５４は、制御部１００を通じてカメラ部１２７を起動させ、カメラ部１２７からの映像データを、制御部１００を通じて表示処理部１２２に供給する。これにより、表示部１２３の表示画面の全面にカメラ部１２７からの映像データに応じた映像を表示する。
【００２６】
通常、携帯電話端末においては、カメラ部と表示部の表示画面とは互いに反対側となる面に設けられている。カメラ部で捉えた映像を表示部に表示させることにより、ユーザーがカメラ部を通じてとらえている映像を確認しながら撮影を行えるようにするためである。したがって、携帯電話端末１がユーザーによって使用されている場合、カメラ部１２７は、ユーザーの前方、すなわち、ユーザーの進行方向の映像を捉える。このため、携帯電話端末１を使用しているユーザーが歩行を開始した場合に、携帯電話端末１の表示部１２３の表示画面の全面にカメラ部１２７が捉えた映像を表示する。これにより、ユーザーは携帯電話端末１の表示部１２３に表示された映像により、自分の進行方向の状態を認識することができる。そして、視覚的にユーザーの進行方向の障害を回避すると共に、ユーザーの進行方向（前方）への視線の回復を促すことができる。
【００２７】
制限解除部１５５は、制限実施部１５４によりカメラ部１２７からの映像データに応じた映像を表示部１２３に表示させた後、移動検知部１５２によりユーザーが歩行を停止させたことを検知した場合に、表示部１２３に元の表示情報を表示させる処理を行う。この場合、制限解除部１５５は、制御部１００を通じてカメラ部１２７の動作を停止させる。そして、制限解除部１５５は、制御部１００を通じて、カメラ部１２７からの映像データに応じた映像に切り替える直前まで表示部１２３に表示させていた表示情報を表示するための表示データを表示処理部１２２に供給する処理を再開する。これにより、カメラ部１２７からの映像データに応じた映像に切り替える直前まで表示部１２３に表示していた表示情報の表示に復帰させる。
【００２８】
［歩行中の使用を抑制する携帯電話端末１の処理について］
次に、図１に示した構成を有するこの第１の実施の形態の携帯電話端末１で行われる歩行中の携帯電話端末１の使用を抑制する処理について説明する。図２は、当該歩行中の携帯電話端末１の使用を抑制する処理について説明するためのフローチャートである。また、図３は、携帯電話端末１の表示部１２３に表示される表示映像（表示画像）の例を説明するための図である。図２に示す処理は、携帯電話端末１に電源が投入されているときに、所定のタイミング毎に主に制御部１００において実行される。
【００２９】
図２に示す処理が実行されると、制御部１００は、動作状態検出部１５１を制御し、自己の動作状態を検出する（ステップＳ１０１）。そして、制御部１００は、ステップＳ１０１の検出結果に基づいて、自機においては表示部１２３への表示情報の表示を伴う処理を実行中か否かを判別する（ステップＳ１０２）。ステップＳ１０２の判別処理において、表示情報の表示を伴う処理を実行していないと判別したときには、使用を制限する必要はないので、この図２に示す処理を終了し、次の実行タイミングを待つことになる。すなわち、通話処理、音声再生処理、待ち受け処理などが行われ、表示情報の表示を伴う処理が行われていないときには、この図２に示す処理は終了する。
【００３０】
また、携帯電話端末１において、電子メールの参照、電子メールの作成、電子メールの送受信、Ｗｅｂページの閲覧、ＳＮＳの利用、映像音声コンテンツの再生等の表示情報の表示が伴う処理が行われていたとする。この場合には、ステップＳ１０１の検出処理を受けて、ステップＳ１０２の判別処理では、表示情報の表示を伴う処理を実行していると判別することになる。具体的に、図３Ａに示すように、自己宛ての電子メールを受信して、これを表示部１２３に表示し閲覧していたとする。この場合には、ステップＳ１０１の検出処理を受けて、ステップＳ１０２の判別処理では、表示情報の表示を伴う処理を実行していると判別することになる。
【００３１】
この場合、制御部１００は移動検知部１５２を制御して、自機を使用しているユーザーが歩行中か否かを検知する処理を実行する（ステップＳ１０３）。そして、制御部１００は、ステップＳ１０３の検知結果に基づいて、自機を使用しているユーザーが歩行中か否かを判別する（ステップＳ１０４）。ステップＳ１０４の判別処理において、自機を使用しているユーザーが歩行中ではないと判別したときには、使用を抑制する必要はないので、ステップＳ１０１からの処理を繰り返す。
【００３２】
ステップＳ１０４の判別処理において、自機を使用しているユーザーが歩行中であると判別したときには、制御部１００は警告制御部１５３を制御し、携帯電話端末１の歩行中の使用は危険である旨の警告を出力する（ステップＳ１０５）。ステップＳ１０５では、上述もしたように、バイブレータ１３１による振動や表示部１２３へのメッセージ表示により、携帯電話端末１の使用中の歩行は危険である旨の警告がなされる。
【００３３】
この後、制御部１００は制限実施部１５４を制御して、カメラ部１２７を起動させ、表示映像をカメラ部１２７からの映像データに応じた映像に切り替える（ステップＳ１０６）。この場合には、図３Ａに示した映像に替えて、例えば、図３Ｂに示すように、表示部１２３の表示画面１２３Ｇとは反対側の面に設けられたカメラ部１２７がとらえているユーザーの前方（進行方向）の画像が、表示部１２３の表示画面１２３Ｇの全面に表示される。これにより、携帯電話端末１のユーザーは、表示部１２３に表示された映像により自己の進行方向を確認することができるようになり、図３Ｂに示したように、自己の進路上に位置する人や物の存在を認知することができる。すなわち、ユーザーの進行方向の視界を確保し、ユーザーが視覚的に進行方向の障害を回避できると共に、ユーザーの進行方向（前方）への視線を回復させることができる。
【００３４】
そして、ステップＳ１０３の処理と同様に、制御部１００は移動検知部１５２を制御して、自機を使用しているユーザーが歩行中か否かを検知する処理を実行する（ステップＳ１０７）。制御部１００は、ステップＳ１０７の検知結果に基づいて、自機を使用しているユーザーが停止しているか否かを判別し（ステップＳ１０８）、停止していないと判別したときにはステップＳ１０７からの処理を繰り返す。すなわち、ユーザーが歩行をやめ停止するのを待つ。
【００３５】
また、ステップＳ１０８の判別処理において、ユーザーは歩行をやめ停止したと判別したときには、制御部１００は、制限解除部１５５を制御し、表示部１２３への表示映像を切り替え前の映像に復帰させる処理を行う（ステップＳ１０９）。具体的に、制限解除部１５５は、制御部１００を通じてカメラ部１２７の動作を停止させる。そして、制限解除部１５５は、制御部１００からカメラ部１２７からの映像表示に切り替える直前まで表示処理部１２２に供給していた表示データの供給を再開させ、表示部１２３への表示映像を元の映像に戻す処理を行う。この後、ステップＳ１０１からの処理を繰り返す。
【００３６】
このようにして、この第１の実施の形態の携帯電話端末１においては、表示部１２３への表示情報の表示を伴う処理を実行中に、ユーザーが歩行していることを検知した場合には、携帯電話端末１の使用を適切に抑制できる。そして、携帯電話端末１のユーザーが歩行を停止した場合には、表示部１２３の表示を歩行前の状態に復帰させる。したがって、ユーザーは、歩行を停止させた状態にあるときには、何らの制約をも受けることなく、携帯電話端末１を使用することができる。
【００３７】
［第１の実施の形態の効果］
上述したように、第１の実施の形態の携帯電話端末１は、表示部１２３への表示情報の表示を伴う処理を実行中に、ユーザーが歩行していることを検知した場合には、カメラ部１２７がとらえている映像を表示部１２３に表示させるという従来にない態様で、携帯電話端末１の使用を適切に抑制することができる。そして、単に歩行中の携帯電話端末１の使用を抑制するだけでなく、視覚的にユーザーの進行方向の障害を回避すると共に、ユーザーの進行方向（前方）への視線を回復させることができる。すなわち、ユーザーおよびその周囲の人の安全を確保することができる。
【００３８】
［第１の実施の形態の変形例］
なお、携帯電話端末１においては、例えば、加速度センサ１４１の検出出力を常時モニタし、検出出力の大きさ（レベル）や検出出力の変化パターン（移動と停止のパターン）などを考慮して、歩行中か否かを検知するようにしてもよい。また、上述もしたように、ＧＰＳ部１４２からの現在位置に基づいて、２点間の距離と、その２点間の距離を移動するのに掛かった時間から移動速度を算出し、当該移動速度が時速４ｋｍ以下であれば、歩行していると判別することが可能である。
【００３９】
また、カメラ部１２７からの映像データに応じた映像を表示部１２３に表示させた場合に、当該映像データを記憶装置１１０に記録するようにし、トラブル時の証拠として利用することもできる。もちろん、映像データだけでなく、マイクロホン１２８を通じて収音する音声データについても記録してもよい。
【００４０】
［第２の実施の形態：自転車やバイクの運転中の使用を抑制する携帯電話端末］
携帯電話端末は歩行中だけでなく、自転車やバイクの運転中にも使用される可能性がある。しかし、自転車やバイクの運転中においては、加速度センサ１４１により歩行中のような顕著な検出出力が得られない場合がある。また、ＧＰＳ部１４２からの現在位置をも考慮したとしても、バス、自動車、電車などの乗り物に乗っている場合と区別がつかない場合もある。そこで、この第２の実施の形態の携帯電話端末１Ａは、カメラ部からの映像を解析することにより、携帯電話端末１Ａの移動速度を検出し、この移動速度をも考慮して、自転車やバイクの運転中か否かを検出する。そして、この第２の実施の形態の携帯電話端末１Ａは、自転車やバイクの運転中における携帯電話端末１Ａの使用を適切に抑制する。
【００４１】
［携帯電話端末１Ａの構成例］
図４は、第２の実施の形態の携帯電話端末１Ａの構成例を説明するためのブロック図である。この第２の実施の形態の携帯電話端末１Ａは、図１に示した第１の実施の形態の携帯電話端末１とは、カメラ映像解析部１５６を備える点で異なっている。そして、後述もするが、制御部１００が、ユーザーの移動を検知した場合にカメラ部１２７を起動させる撮像制御手段としての機能と、カメラ映像解析部１５６の解析結果をも考慮して、ユーザーが自転車やバイクを運転しているか否かを検出する運転検出手段としての機能を実現している。これ以外の各部は、図１に示した第１の実施の形態の携帯電話端末１とほぼ同様に構成される。このため、図４に示した第２の実施の形態の携帯電話端末１Ａにおいて、図１に示した第１の実施の形態の携帯電話端末１と同様に構成される部分には同じ参照符号を付し、その部分の説明については重複するので省略する。
【００４２】
［自転車やバイクの運転中に使用を抑制する機能を実現する部分について］
この第２の実施の形態の携帯電話端末１Ａは、単にユーザーが移動中か否か検知して使用を抑制するものではなく、自機の移動速度をも考慮して、自転車やバイクを運転中か否かを判別し、運転中である場合に使用を抑制する。このため、この第２の実施の形態の携帯電話端末１Ａにおいても、動作状態検出部１５１において、表示部１２３への表示情報の表示を伴う処理を実行中であるか否かを検出する。動作状態検出分１５１により、表示部１２３への表示情報の表示を伴う処理を実行中であると検出された場合に、移動検知部１５２が、加速度センサ１４１の検出出力やＧＰＳ部１４２からの現在位置情報に基づいて、自機が移動中か否かを検知する。
【００４３】
そして、移動検知部１５２において、自機が移動中であると検知した場合に、制御部１００は、カメラ部１２７を起動させて撮影を開始させると共に、撮影された映像の映像データをカメラ映像解析部１５６において解析させて、自機の移動速度を算出する。具体的にカメラ映像解析部１５６は、カメラ部１２７を通じて順次に取り込まれる映像データを解析し、移動速度を求める。当該移動速度は、カメラ部１２７からの映像データによる映像がどれ位の速さで変化しているのかを解析することにより求めることができる。
【００４４】
そして、制御部１００は、カメラ映像解析部１５６の解析結果に基づき、移動速度が例えば時速５ｋｍ以上であれば、携帯電話端末１Ａのユーザーは、自転車やバイクの運転中であると検出する。この場合、制御部１００は、まず、警告制御部１５３を制御し、上述した第１の実施の形態の携帯電話端末１の場合と同様の態様で、自転車やバイクの運転中に携帯電話端末１Ａを使用することは危険である旨を警告する。この後、制御部１００が制限実施部１５４を制御して、表示部１２３の表示画面の全面に表示する映像をカメラ部１２７からの映像に切り替える。
【００４５】
これにより、上述した第１の実施の形態の携帯電話端末１の場合と同様に、視覚的にユーザーの進行方向の障害を回避する共に、ユーザーの進行方向（前方）への視線を回復させる。この後、制御部１００は、カメラ映像解析部１５６からの解析結果に基づいて、ユーザーが停止したこと（自転車やバイクを停止させたこと）を検出したとする。この場合、制御部１００は、制限解除部１５５を制御して、表示部１２３に表示する映像を、カメラ部１２７からの映像に切り替える前の映像に復帰させる。これにより、携帯電話端末１Ａのユーザーは、自転車やバイクを停止させているときには、何らの制約をも受けることなく、携帯電話端末１を使用することができる。
【００４６】
［自転車やバイクの運転中の使用を抑制する携帯電話端末１Ａの処理について］
次に、図４に示した構成を有するこの第２の実施の形態の携帯電話端末１Ａで行われる自転車やバイクの運転中の携帯電話端末１Ａの使用を抑制する処理について詳細に説明する。図５は、当該自転車やバイクの運転中の携帯電話端末１Ａの使用を抑制する処理について説明するためのフローチャートである。また、図６は、携帯電話端末１Ａの表示部１２３に表示される表示映像（表示画像）の例を説明するための図である。この図５に示す処理は、携帯電話端末１Ａに電源が投入されているときに、所定のタイミング毎に主に制御部１００において実行される処理である。
【００４７】
図５に示す処理が実行されると、制御部１００は、動作状態検出部１５１を制御し、自己の動作状態を検出する（ステップＳ２０１）。そして、制御部１００は、ステップＳ２０１の検出結果に基づいて、自機においては表示部１２３への表示情報の表示を伴う処理を実行中か否かを判別する（ステップＳ２０２）。ステップＳ２０２の判別処理において、表示情報の表示を伴う処理を実行していないと判別したときには、使用を制限する必要はないので、この図５に示す処理を終了し、次の実行タイミングを待つことになる。
【００４８】
また、この第２の実施の形態の携帯電話端末１Ａにおいても、例えば、図３Ａに示すように、自己宛ての電子メールを受信して、これを表示部１２３に表示し閲覧するようにしていたとする。この場合、ステップＳ２０１の検出処理を受けて、ステップＳ２０２の判別処理では、表示情報の表示を伴う処理を実行していると判別することになる。この場合、制御部１００は移動検知部１５２を制御して、自機を使用しているユーザーが移動中か否かを検知する処理を実行する（ステップＳ２０３）。
【００４９】
ステップＳ２０３においては、加速度センサ１４１からの検出出力が、自転車やバイクなどの乗り物に載っている場合に生じる程度の振動を検出しているときには、自機は移動していると検知する。また、ＧＰＳ部１４２から順次に提供される現在位置により決まる２点間の距離と、その２点間を移動するためにかかった時間とに基づいて移動速度を求め、その速度に応じて移動しているか否かを検知するようにしてもよい。もちろん、これらを併用してもよい。
【００５０】
そして、制御部１００は、ステップＳ１０３の検知結果に基づいて、自機を使用しているユーザーが移動中か否かを判別する（ステップＳ２０４）。ステップＳ２０４の判別処理において、自機を使用しているユーザーが移動中ではないと判別したときには、使用を抑制する必要はないので、ステップＳ２０１からの処理を繰り返す。また、ステップＳ２０４の判別処理において、自機を使用しているユーザーが移動中であると判別したときには、制御部１００は、カメラ部１２７、音声入力部１２９を起動して、録画、録音を開始する（ステップＳ２０５）。この場合、カメラ部１２７を通じて撮影された映像の映像データと、マイクロホン１２８を通じて収音された音声の音声データとは、制御部１００を通じて記憶装置１１０に格納される。
【００５１】
次に、制御部１００は、カメラ映像解析部１５６を制御し、上述したように、カメラ部１２７を通じて順次に取り込まれる映像データを解析し、自機の移動速度の算出処理を開始させる（ステップＳ２０６）。そして、制御部１００は、カメラ映像解析部１５６により求められた移動速度に基づいて、自機のユーザーは自転車やバイクを運転中か否かを判別する（ステップＳ２０７）。
【００５２】
ステップＳ２０７の判別処理において、自機のユーザーは自転車やバイクの運転中であると判別したとする。この場合、制御部１００は警告制御部１５３を制御し、携帯電話端末１Ａの自転車やバイクの運転中の使用は危険である旨の警告を出力する（ステップＳ２０８）。このステップＳ２０８では、バイブレータ１３１を振動させたり、制御部１００および表示処理部１２２を通じて表示部１２３に、携帯電話端末１Ａの自転車やバイクの運転中の使用は危険である旨の表示メッセージを表示させたりする。
【００５３】
この後、制御部１００は制限実施部１５４を制御して、表示部１２３の表示画面の全面に表示する表示映像を、カメラ部１２７からの映像に切り替える（ステップＳ２０９）。この場合には、元の表示が例えば図３Ａに示した映像であったとすると、これが図６に示すように、カメラ部１２７がとらえているユーザーの前方（進行方向）の映像に変えられる。これにより、ユーザーの進行方向の視界を確保し、視覚的にユーザーの進行方向の障害を回避する共に、ユーザーの進行方向（前方）への視線を回復させる。そして、制御部１００は、カメラ映像解析部１５６で求められている移動速度を参照し、ユーザーが停止したか否か（自転車やバイクの運転を止めたか否か）を判別する（ステップＳ２１０）。ステップＳ２１０の判別処理において、停止していないと判別した時には、ステップＳ２１０からの処理を繰り返す。すなわち、ユーザーが自転車やバイクの運転を止め、停止するのを待つ。
【００５４】
また、ステップＳ２１０の判別処理において、ユーザーは自転車やバイクを運転するのを止め停止したと判別したときには、制御部１００は、制限解除部１５５を制御し、表示部１２３への表示を切り替え前の表示に戻す処理を行う（ステップＳ２１１）。具体的に、制限解除部１５５は、制御部１００を通じてカメラ部１２７の動作を停止させる。そして、制限解除部１５５は、制御部１００からカメラ部１２７からの映像表示に切り替える直前まで表示処理部１２２に供給していた表示データの供給を再開させ、表示部１２３への表示映像を元の映像に戻す処理を行う。この後、制御部１００は、カメラ部１２７、音声入力部１２９、カメラ映像解析部１５６の機能を停止させて、移動速度の算出を終了し（ステップＳ２１２）、ステップＳ２０１からの処理を繰り返すようにする。
【００５５】
また、ステップＳ２０７の判別処理において、自機のユーザーは自転車やバイクの運転中ではないと判別したとする。この場合には、例えば、バス、自動車、電車など、自分が運転していない交通機関を利用していると考えられるので、ステップＳ２１３の処理に進み、移動速度の算出を終了させ（ステップＳ２１２）、この後、ステップＳ２０１からの処理を繰り返す。
【００５６】
このように、この第２の実施の形態の携帯電話端末１Ａは、ユーザーが自転車やバイクを運転して移動中であることを検出した場合に、携帯電話端末１Ａのユーザーよる使用を抑制し、ユーザーや周囲の人の安全を図ることができる。
【００５７】
［第２の実施の形態の効果］
上述したように、第２の実施の形態の携帯電話端末１Ａは、表示部１２３への表示情報の表示を伴う処理を実行中に、ユーザーが自転車やバイクを運転中の場合には、強制的にカメラ部１２７が捉えている映像を表示部１２３に表示させるという従来にない態様で、携帯電話端末１Ａの使用を適切に抑制することができる。そして、単に自転車やバイクの運転中の携帯電話端末１Ａの使用を抑制するだけでなく、視覚的にユーザーの進行方向の障害を回避すると共に、ユーザーの進行方向（前方）への視線を回復させることができる。すなわち、歩行時よりも高速に移動しているために非常に危険である自転車やバイクの運転中における携帯電話端末１Ａの使用を効果的に抑制し、ユーザーおよびその周囲の人の安全を確保することができる。
【００５８】
［第２の実施の形態の変形例］
［変形例１］
この第２の実施の形態の変形例の携帯電話端末１Ａでは、画像認識技術を用い、カメラ部１２７がとらえている映像中に存在する障害物の存在を検知して、周囲への警報をも行う。なお、この第２の実施の形態の変形例の携帯電話端末１Ａもまた、図４に示した第２の実施の形態の携帯電話端末１Ａと同様の構成を有するものであるが、カメラ映像解析部１５６において、カメラ部１２７からの映像中に存在する障害物の認識処理をも行うようにしている。
【００５９】
図７は、この第２の実施の形態の変形例における携帯電話端末１Ａで行われる自転車やバイクの運転中の使用を抑制する処理について説明するためのフローチャートである。この図７に示す処理は、携帯電話端末１Ａに電源が投入されているときに、所定のタイミング毎に主に制御部１００において実行される処理である。
【００６０】
図７において、ステップＳ３０１〜ステップＳ３０５までの処理は、図５に示したステップＳ２０１〜ステップＳ２０５までの処理と同様に行われる。ステップＳ３０５の処理の後、制御部１００は、カメラ映像解析部１５６を制御し、カメラ部１２７からの映像を解析することにより、移動速度の算出処理と、画像認識技術を用いた障害物の認識処理を開始する（ステップＳ３０６）。具体的に、ステップＳ３０６においては、図５に示したステップＳ２０６の処理と同様に、移動速度の算出処理を行うと共に、カメラ部１２７からの映像のユーザーの進行方向に存在する障害物を、パターン認識技術を用いて認識する処理をも行う。
【００６１】
そして、制御部１００は、カメラ映像解析部１５６により求められた移動速度に基づいて、自機のユーザーは自転車やバイクの運転中か否かを判別する（ステップＳ３０７）。ステップＳ３０７の判別処理において、自機のユーザーは自転車やバイクの運転中であると判別したとする。この場合、制御部１００は警告制御部１５３を制御し、携帯電話端末１Ａの自転車やバイクの運転中の使用は危険である旨の警告を出力する（ステップＳ３０８）。この後、制御部１００は制限実施部１５４を制御して、表示映像をカメラ部１２７からの映像に切り替える（ステップＳ３０９）。これにより、ユーザーの進行方向の視界を確保し、視覚的にユーザーの進行方向の障害を回避する共に、ユーザーの進行方向（前方）への視線を回復させる。これらステップＳ３０７〜ステップＳ３０９の処理は、図５に示したステップＳ２０７〜ステップＳ２０９の処理と同様に行われる処理である。
【００６２】
この後、制御部１００は、カメラ映像解析部１５６による障害物の認識結果に基づいて、ユーザーの進行方向に障害物が存在しているか否かを判別する（ステップＳ３１０）。例えば、図６に示したように、ユーザーの前方（進行方向）の路上に、子供が乗ったり押したりして遊ぶおもちゃ自動車が置かれていたとする。この場合、ステップＳ３０６の障害物の認識処理の結果に基づき、ステップＳ３１０の判別処理においては、ユーザーの前方に障害物が存在していると判別することになる。
【００６３】
ステップＳ３１０の判別処理において、ユーザーの進行方向に障害物が存在していると判別したとする。この場合、制御部１００は、警告制御部１５３を制御してリンガ１３２を通じて大音量で警報音を放音させたり、あるいは、音声出力部１２５およびスピーカ１２６Ａから大音量で警報音を放音させたりする（ステップＳ３１１）。これにより、近隣に存在する人に対しても危険を報知する。なお、図６に示した例では、携帯電話端末１Ａのユーザーの前方に物（おもちゃ自動車）が存在する場合を示したが、障害物が人や動物である場合ももちろんある。従って、ユーザーの進行方向に、人、動物、物などの障害物が存在する場合には、当該ユーザーの自転車やバイクの運転中における携帯電話端末１Ａの使用により、危険な目にあわせる可能性のある周囲の人に対しても警報を発する。
【００６４】
そして、ステップＳ３１１の警報処理の後、あるいは、ステップＳ３１０の判別処理において、進行方向に障害物は存在していないと判別したときには、制御部１００はステップＳ３１２の判別処理に進む。この場合、制御部１００は、カメラ映像解析部１５６で求められている移動速度に基づいて、ユーザーが停止したか否か（自転写やバイクの運転を止めたか否か）を判別する（ステップＳ３１２）。ステップＳ３１２の判別処理において、停止していないと判別した時には、制御部１００は、上述したステップＳ３１０の処理と同様に、カメラ映像解析部１５６による障害物の認識結果に基づいて、ユーザーの進行方向に障害物が存在しているか否かを判別する（ステップＳ３１３）。ステップＳ３１３の判別処理において、障害物が存在していると判別した場合には、ステップＳ３１１の処理と同様に、大音量の警報音を放音して、近隣に存在する人に対しても危険を報知する（ステップＳ３１４）。ステップＳ３１４の処理の後、また、ステップＳ３１３の判別処理において、障害物は存在しないと判別した場合には、ステップＳ３１２からの処理を繰り返す。
【００６５】
また、ステップＳ２３１２の判別処理において、ユーザーは自転車やバイクを運転するのを止め停止したと判別したときには、制御部１００は、制限解除部１５５を制御し、表示部１２３への表示映像を切り替え前の映像に戻す処理を行う（ステップＳ３１５）。このステップＳ３１５の処理は、図６に示したステップＳ２１２と同様に行われる処理である。そして、制限解除部１５５は、制御部１００からカメラ部１２７からの映像表示に切り替える直前まで表示処理部１２２に供給していた表示データの供給を再開させ、表示部１２３への表示映像を元の映像に戻す処理を行う。この後、制御部１００は、カメラ部１２７、音声入力部１２９、カメラ映像解析部１５６の機能を停止させて、移動速度の算出処理、および、障害物の認識処理を終了し（ステップＳ３１６）、ステップＳ３０１からの処理を繰り返すようにする。
【００６６】
また、ステップＳ３０７の判別処理において、自機のユーザーは自転車やバイクの運転中ではないと判別したとする。この場合には、例えば、バス、自動車、電車など、自分が運転していない交通機関を利用していると考えられるので、ステップＳ３１６の処理に進み、移動方向や移動速度の算出処理と障害物の認識処理を終了させ（ステップＳ３１６）、この後、ステップＳ３０１からの処理を繰り返す。
【００６７】
このように、この第２の実施の形態の変形例における携帯電話端末１Ａは、ユーザーが自転車やバイクを運転して移動中であることを検出した場合に、携帯電話端末１Ａのユーザーよる使用を抑制し、ユーザーや周囲の人の安全を図ることができる。さらに、ユーザーの進行方向に障害物が存在することが確認できた場合には、周囲の人にも警告音等により危険を報知できる。
【００６８】
［変形例２］
なお、上述した第２の実施の形態の携帯電話端末１Ａにおいては、カメラ部１２７からの映像を解析することにより求められる移動速度をも考慮して、歩行時よりも振動が少なく、移動速度が速い自転車やバイクの運転中か否かを判別するようにした。しかし、これに限るものではない。カメラ部１２７からの映像を解析することによりユーザーの向き及び移動方向をも検出し、これをも考慮して、自転車やバイクの運転中か否かを判別してもよい。
【００６９】
例えば、ユーザーの向きは、通常、携帯電話端末１Ａのカメラ部１２７の向きと同じである。また、移動方向は、映像の流れる方向（変化する方向）により特定できる。このため、例えば、図６に示した態様の映像が撮影できている場合、ユーザーの向きは前方であり、移動方向は、ユーザーの後方から前方であることが判別できる。このように、ユーザーの向きと移動方向が一致している場合であって、移動速度が歩行時よりも速い場合には、自転車やバイクの運転中であると判別することができる。このように、ユーザーの向きや移動方向をも考慮することにより、例えば、横向きでバスや電車に乗っている場合と、自転車やバイクを運転中の場合とを効果的に区別することができる。
【００７０】
もちろん、自動車やバスに乗車する場合に、進行方向を向いて着席する場合もあるが、その場合には、自動車やバスなどの乗り物内か否かを画像認識により判別することができる。また、自転車やバイクである程度の速度で移動している場合には、もはや携帯電話端末１Ａを使用することは難しい。このため、移動速度が所定値以上の場合には、自転車やバイクの運転中ではなく、自動車やバスなどの乗り物内であると判別するようにすることも可能である。なお、移動速度の上限値を用いる場合には、画像認識を併用するなど、他の判別方法と併用することが望ましい。
【００７１】
［歩行中、および、自転車やバイクの運転中の携帯電話端末の使用の抑制］
上述した第１の実施の形態では、歩行中における携帯電話端末の使用を抑制できるようにし、上述した第２の実施の形態で、自転車やバイクの運転中における携帯電話端末の使用を抑制できるようにした。しかし、これら合わせ持つようにすることももちろん可能である。この場合の携帯電話端末の構成は、図４に示した第２の実施の形態の携帯電話端末１Ａと同様の構成になる。
【００７２】
そして、当該携帯電話端末では、図２と図５とを合わせた処理、あるいは、図２と図７とを合わせた処理を行うようにすればよい。基本的に、図２のステップＳ１０１〜ステップＳ１０４の処理と、図５のステップＳ２０１〜ステップＳ２０４の処理と、図６のステップＳ３０１〜ステップＳ３０４の処理とは同様に行われる。
【００７３】
このため、自機において表示部１２３への表示情報の表示を伴う処理を実行中であるか否の検出処理を行い（ステップＳ１０１、２０１、３０１）、これに基づき表示部１２３への表示情報の表示を伴う処理を実行中であると判別したとする（ステップＳ１０２、２０２、３０２）。この場合に、自機のユーザーの移動状態を検知し（ステップＳ１０３、２０３、２０３）し、歩行による移動中か、歩行以外の移動中か、停止中かを判別する（ステップＳ１０４、２０４、３０４）。ステップＳ１０３、２０３、２０３の検知処理では、加速度センサ１４１の検出出力がユーザーの歩行時に特有の検出出力となっているか、歩行時特有の検出出力ではないが移動を示す検出出力となっているか、あるいは、検出出力は極めて小さいか等に応じて、ユーザーの移動状態を検知できる。また、ＧＰＳ部１４２からの現在位置を利用して求める移動速度を考慮してもよい。
【００７４】
そして、ステップＳ１０３、２０３、２０３の検知処理に基づき、ステップＳ１０４、２０４、３０４で停止中であると判別したときには、図２、図５、図７に示した場合と同様に、ステップＳ１０１、２０１、３０１からの処理を繰り返す。ステップＳ１０４、２０４、３０４で歩行による移動中であると判別したときには、図２に示したステップＳ１０５〜ステップＳ１０９の処理を実行する。また、ステップＳ１０４、２０４、３０４で歩行以外の移動中であると判別したときには、図５に示したステップＳ２０５〜ステップＳ２１２の処理を、あるいは、図７に示したステップＳ３０５〜ステップＳ３１６の処理を実行する。なお、ステップＳ１０９、２２３、３１６の処理の後には、ステップＳ１０１、２０１、３０１からの処理を繰り返す。
【００７５】
このように、図２と図５とを合わせた処理、あるいは、図２と図７とを合わせた処理を行うことにより、ユーザーの歩行時においても、また、ユーザーの自転車やバイクの運転時においても、携帯電話端末の使用を適切に抑制することが可能となる。
【００７６】
［実施の形態の効果等］
上述した実施の形態の携帯電話端末１、１Ａにより、携帯電話端末１、１Ａのユーザー自身が、歩行中や、自転車やバイクの運転中の携帯電話端末の使用が危険であることを認識することができる。従って、法令等で禁止されるまでも無く、マナーとして移動時の携帯電話端末の使用をしないように意識付けることができる。
【００７７】
また、図２、図５、図７に示した処理を行なう機能を、携帯電話会社や携帯電話メーカーの工場出荷時点において、携帯電話端末に組み込むことが望ましい。もちろん、既存の携帯電話端末に対しても、図２、図５、図７に示した処理を行なうプログラムを、インターネット等を通じて提供することにより、機能を強化させることもできる。すなわち、動作状態検出部１５１、移動検知部１５２、警告制御部１５３、制限実施部１５４、制限解除部１５５、カメラ画像解析部１５６の各部の機能は、ソフトウェアによって制御部１００の機能として実現することが可能である。
【００７８】
［その他］
上述した実施の形態の記載からも分かるように、携帯端末装置の撮像手段としての機能は、携帯電話端末１、１Ａのカメラ部１２７が実現し、携帯端末装置の表示手段としての機能は、表示部１２３が実現している。また、携帯端末装置の検出手段としての機能は、携帯電話端末１、１Ａの動作状態検出部１５１が実現し、携帯端末装置の検知手段としての機能は、携帯電話端末１、１Ａの移動検知部１５２が実現している。また、携帯端末装置の制限実施手段としての機能は、携帯電話端末１、１Ａの制限実施部１５４が実現している。
【００７９】
また、携帯端末装置の振動検出手段、現在位置測位手段の機能は、携帯電話端末１、１Ａの加速度センサ１４１、ＧＰＳ部１４２が実現している。また、携帯端末装置の撮像制御手段としての機能は、携帯電話端末１Ａの制御部１００が実現し、携帯端末装置の速度検出手段としての機能は、携帯電話端末１Ａのカメラ映像解析部１５６が実現している。また、携帯端末装置の運転検出手段は、携帯電話端末１Ａの制御部１００が実現し、携帯端末装置の制限解除手段としての機能は、携帯電話端末１、１Ａの制限解除部１５５が実現している。
【００８０】
また、図２、図５、図７のフローチャートに示した処理は、この発明の携帯端末装置の動作制御方法に対応するものである。また、図２、図５、図７のフローチャートに応じた処理を実行するプログラムが、この発明の携帯端末装置の動作制御プログラムである。したがって、図２、図５、図７に示した処理を実行するプログラムを形成し、これを携帯端末装置に搭載して、当該携帯端末装置において実行可能にしておくことにより、この発明の携帯端末装置を容易に実現することができる。
【符号の説明】
【００８１】
１、１Ａ…携帯電話端末、１００…制御部、１０１…ＣＰＵ、１０２…ＲＯＭ、１０３…ＲＡＭ、１０４…ＣＰＵバス、１１０…記憶装置、１１１…送受信アンテナ、１１２…無線通信部、１１３…受話器、１１４…送話器、１２１…キー操作部、１２２…表示処理部、１２３…表示部、１２４…タッチパネル、１２５…音声出力部、１２６Ａ…スピーカ、１２６Ｂ…音声出力端子、１２７…カメラ部、１２８…マイクロホン、１２９…音声入力部、１３１…バイブレータ、１３２…リンガ、１４１…加速度センサ、１４２…ＧＰＳ部、１４３…ＧＰＳアンテナ、１５１…動作状態検出部、１５２…移動検知部、１５３…警告制御部、１５４…制限実施部、１５５…制限解除部、１５６…カメラ映像解析部
【図１】
0005750068.tif 000002
【図２】
0005750068.tif 000003
【図３】
0005750068.tif 000004
【図４】
0005750068.tif 000005
【図５】
0005750068.tif 000006
【図６】
0005750068.tif 000007
【図７】
0005750068.tif 000008